(57)【要約】  本発明は、取り換え可能なジュエリーに関連し、ここで、ペンダントやリングなどのジュエリーアイテムは、容易にかつ確実に、他のジュエリーのピースと取り換えることができる。本発明は、連結されている間の安全性をもたらしながら、個々のジュエリーアイテムが、取り外し可能な方法で、相互に連結されるようにする機構を提供する。本発明はまた、ボール及びばねアレンジメントとともにねじアレンジメントと備え、連結されているアイテムにさらなる固定性を与える機構を提供する。
2013540552.tif 000002
【特許請求の範囲】
【請求項１】
ジュエリーの２つのピースのための取り外し可能な連結装置であって、
前記２つのピースが、相互に連結されている間、着用および操作の際にそれらの上にかけられる力に耐えるように確実に連結され、
前記取り外し可能な連結装置は、前記ジュエリーの２つのピースが相互に確実に連結されるようにするロック装置を組み込んだ雄型および雌型のねじ部材を備えることを特徴とする、
連結装置。
【請求項２】
請求項１に記載のジュエリーの２つのピースのための取り外し可能な連結装置であって、
ここで前記ジュエリーが、指輪、イヤリング、ペンダント、カフスボタン、ブレスレット、装飾用ピン、タイピン、ブローチ、バングル、および、取り換え可能な装飾パーツの利点を享受する任意のジュエリーアイテムを含む群から選択される、
連結装置。
【請求項３】
請求項２に記載のジュエリーの２つのピースのための取り外し可能な連結装置であって、
ここで前記指輪は、さらに：
−指の周りをまわるシャンク（１）およびジュエル石を収容する独立のコレット（２）を備え、
ここで、前記シャンク（１）は、ロック部材（好ましくはグラブねじ（４）である）を受け止めるためのねじ穴（３）を具備し、
前記シャンク穴（３）はその内側にねじ山が付けられているのに対し、前記グラブねじ（４）はその外側にねじ山が付けられており、
−外側にねじ山が付けられているシャフト（５）が前記シャンク（１）の外面に（好ましくはシャンク穴（３）と同心状に）備えられ；
少なくとも１つのスロット（７）が、前記スロットのそれぞれの中に固形物（８）（好ましくは丸いボール（８）の形態である）を収容するために、前記シャフト（５）の壁に作られ、
前記固形物は、好ましくは非腐食性金属でできており、
ここで、前記固形物の大きさおよび形は、前記シャフト（５）の長手方向の軸に対するそれの横方向の動きが妨げられずに促進されるようなものであり、
そして、ここでスロット（７）の大きさは、前記固形物が前記シャフト（５）の壁から少し突き出るようなものであり、
−前記シャフト（５）は、中空であり、シャンク（１）のグラブねじ末端からその中に挿入される弾性部材（１０）を具備し、前記弾性材料（１０）が前記シャンク穴（３）の内側にぴったり合って、前記ボール（８）の横方向の動きに抵抗を与えるようになっており、ここで前記固形物（８）の形は、その弛緩位において、前記固形物（８）が前記シャフト壁に設けられた前記スロット（７）から突き出るようなものであり、
そして、ここで前記グラブねじ（４）は、前記シャンク穴（３）を閉じるために前記シャンク穴（３）の中に設置され；
そして、ここで前記シャンク穴（３）、シャフト（５）、および、前記グラブねじ（４）のアレンジメントは、それぞれの場所において、前記ボール（８）および前記弾性部材（１０）とともに、前記シャンク（１）と前記コレット（２）の確実な連結を可能にする前記ロック装置を形成し、
そして、ここで前記コレット（２）は：
−ワッシャーまたはパッキング部材としての役割を果たす任意的な装飾用基部（２Ａ）を備え、
前記コレットはその中央にねじ穴を有し、
−中央のねじ穴（２Ｃ）が備えられたコレット収容部（２Ｂ）を備え、
前記シャフト（５）の上に前記基部（２Ａ）を、そのねじのリミットに到達するまでねじ込めて、続けて前記シャフト（５）の上に前記ジュエル収容部（２Ｂ）をねじ込めることによって、前記コレット（２）が前記シャンク（１）に確実に連結されて着用可能なジュエリーピースを形成するようになっている、
連結装置。
【請求項４】
請求項３に記載のジュエリーの２つのピースのための取り外し可能な連結装置であって、
さらにここで、ジュエル収容部（２Ｂ）の中の前記ねじ穴（２Ｃ）は、前記固形物（８）を、その弛緩位において収容するためにノッチを具備する、
連結装置。
【請求項５】
請求項４に記載のジュエリーの２つのピースのための取り外し可能な連結装置であって、
ここで前記ロック部材は、第二の弾性部材（１０ａ）であり、前記シャンク穴の中に挿入されて、はんだ栓または溶接栓の形態であるシールで封がされる、
連結装置。
【請求項６】
請求項５に記載のジュエリーの２つのピースのための取り外し可能な連結装置であって、
ここで、前記シャフト壁における前記スロットの位置が、前記基部（２Ａ）がその最終のねじ込まれた位置にあるときに、前記固形物（８）が完全に前記基部（２Ａ）の上方に置かれるような位置である、
連結装置。
【請求項７】
請求項５に記載のジュエリーの２つのピースのための取り外し可能な連結装置であって、
ここで前記固形物（８）の位置が、前記シャフト（５）に沿ってそれぞれの最終位置における前記基部（２Ａ）および前記収容部のねじと重なるような位置である、
連結装置。
【請求項８】
請求項５に記載のジュエリーの２つのピースのための取り外し可能な連結装置であって、
ここで前記固形物の位置は、前記固形物がコレット収容部（２Ｂ）の少なくとも一部分に及ぶような位置である、
連結装置。
【請求項９】
請求項５で請求されたジュエリーの２つのピースのための取り外し可能な連結装置であって、
ここで前記固形物は、前記スロット（７）への前記ボール（８）の挿入および圧力下でのそれの自由な横方向の動きを許容し、そして、前記ボールが前記基部（２Ａ）のねじ込みを妨害しないような突出量でスロット（７）から突き出ることを許容する、任意の形状のボールである、
連結装置。
【請求項１０】
請求項９に記載のジュエリーの２つのピースのための取り外し可能な連結装置であって、
ここで前記固形物が、ボール、好ましくは丸いまたは球状の形状である、
連結装置。
【請求項１１】
請求項２に記載のジュエリーの２つのピースのための取り外し可能な連結装置であって、
ここで前記指輪がさらに、
−指の周りをまわるシャンク（１）およびジュエル石を収容する独立のコレット（２）を備え、
ここで前記シャンク（１）は、ロック部材、好ましくはグラブねじ（４）を受け止めるためのねじ穴（３）を具備し、
前記シャンク穴（３）はその内側にねじ山が付けられているのに対し、前記グラブねじ（４）はその外側にねじ山が付けられており、
そして、ここで前記ねじ穴（３）は弾性部材（１０）の外表面と前記ねじ穴（３）の内側の間に作られる環状空間（３Ａ）があるようにして弾性部材（１０）を収容するのに十分な直径であり、
−ねじ山が付けられた中空のシャフト（５）は外表面にねじ山を具備し、前記環状空間（３Ａ）の中へねじ込めることができるようにコレット（２）のコレット収容部（２Ｂ）の下方に備えられ、
−前記シャフト（５）の壁と前記シャンク穴（３）の壁の両方に作られたスロット（７）を備え、
ここで前記弾性部材（１０）は、固形物（８）（好ましくは丸いボール（８）の形態である）を収容するために、前記シャンク穴（３）の中に（好ましくは同心状に）適合し、
前記固形物は好ましくは非腐食性金属でできており、
−前記シャンク穴（３）の指側の末端には、前記グラブねじ（４）を受け止めるためのグラブねじ穴（３）を備え、
ここで前記弾性部材（１０）および前記ボール（８）は、グラブねじ穴（３）を通って挿入されて、前記ボール（８）が前記部材（１０）と前記シャンク穴（３）の内面との間に、かつその中に設けられた前記スロット（７）の中に緩く置かれるようになっており、
ここで、前記コレットおよびシャンクは、前記グラブねじ（４）を前記グラブねじ穴（３）の中に置き、それに封をして、前記中空のシャフト（５）を前記環状空間の中へねじ込むことにより取り外し可能に連結されて、それによって、前記コレット収容部のねじが、前記収容部（２Ｂ）が前記グラブねじ穴（３）の上端に到達するまで継続的にそれを弾性部材（１０）に押し付けることにより、前記ボール（８）を通り越し始める、
連結装置。
【請求項１２】
請求項２に記載のジュエリーの２つのピースのための取り外し可能な連結装置であって、
ここで前記指輪がさらに、
−指の周りをまわるシャンク（１）およびジュエル石を収容する独立のコレット（２）を備え、
−前記コレット収容部（２Ｂ）の底部に連結されていて前記シャンク（１）における穴の中に挿入されるシャフト（５）を備え、
ここで前記シャンク（１）は、前記シャフト（５）と非同心である非同心の穴（３ｂ）を備え、前記穴に弾性部材（１０）が収容され、
−スロット（７）は、前記シャンク穴と前記シャフト（５）を横方向に連結させるように作られ、そしてここに、固形物（好ましくはボール（８））が置かれ、
それによって、前記シャフト（５）が前記シャンク穴の中にねじ込められるときに結果として生じる前記ボール（８）の横方向の動きが、前記弾性部材（１０）により抵抗され、そしてそれによって、いったんシャフト（５）がそれの前進する動きを終えると、ボール（８）がシャフトねじの溝の中へ後退する、
連結装置。
【請求項１３】
請求項３に記載のジュエリーの２つのピースのための取り外し可能な連結装置であって、
ここで前記スロット（７）および前記固形物（８）のそれぞれの数が２である、
連結装置。
【発明の詳細な説明】
【技術分野】
【０００１】
本発明は、一般に、ジュエリーの分野に関連する。より具体的には、本発明は、取り換え可能なジュエリーに関連し、ここで、ペンダントやリングなどのジュエリーアイテムを、容易かつ確実に、他のジュエリーのピースと取り換えることができる。
【背景技術】
【０００２】
人類は、有史以前から、自らをジュエリーにより装飾する願望を感じていた。人間は、特定の人格を投影させて強化させるために、ジュエリーを用いてきた。また、人間は、様々な場面に特定的に調和するジュエリーを用いてきた。現代の生活の多くの他の分野と同様に、オーダーメイドの見込みがあるジュエリーは、現代人類を大きく魅了する力を提供する。同時にジュエリーは個性を反映し、そしてまた、人が所有する最も高価な装飾品の一つのままである。これらの２つの側面は、便利であり、それが一般的にもたらす適応性を有する標準化と、ジュエリーの全てのピースが典型的に発すると期待される独自性を維持する欲望とのバランスをとることを困難にする。
【０００３】
人が所有するジュエリーに多様性をもたらす最もシンプルな方法の一つは、ジュエリーの様々な部材を取り換える能力を与えることによるものである。例えば、首の周りをまわるチェーンおよびペンダントまたはセンターピースのような構成要素を一般的に備え得るネックレス。互換性は、同じチェーンとともに異なるペンダントを使用すること、またはその逆を可能にする方法でネックレスを構成することによりもたらされ得る。
【０００４】
これを達成するために非常に多くの試みがなされている。
【０００５】
米国特許第７４０９８３７号は、アイテムのレセプタクル（ｒｅｃｅｐｔａｃｌｅ）への取り外し可能な連結のための、取り換え可能なジュエリー挿入体を開示する。この発明の１つの重大な欠点は、ジュエリーに対して十分な安全性を与えないことである。
【０００６】
さらに、現代のジュエリーは、取り換え可能なジュエリーに関して様々な選択肢を提案する。顧客は、使いやすさ、連結の確実性、および価格に注意する。さらに、壊れやすい性質のジュエリーおよびそれを作るのに用いられる材料が与えられた場合、その寿命を確保する構造安定性を与えながら、互換性を高めるための確実な機構を与えることは、困難な問題である。
【０００７】
したがって、ジュエリーが安全でありかつ高寿命の機構となるような、ジュエリーピースの互換性を高めるための機構を提供する必要がある。また、手ごろな価格でそのような機構を提供することが必要である。
【発明の概要】
【発明が解決しようとする課題】
【０００８】
したがって、本発明の目的は、ジュエリーが安全でありかつ高寿命の機構となるような、ジュエリーピースの互換性を高めるための機構を提供することである。
【０００９】
本発明の別の目的は、手ごろな価格でそのような機構を提供することである。
【課題を解決するための手段】
【００１０】
本発明の一態様によれば、連結されている間の安全性をもたらしながら、個々のジュエリーアイテムが、取り外し可能な方法で、相互に連結されるようにする機構が提供される。
【００１１】
本発明の別の態様によれば、そのような機構は、ボール（８）及びばねアレンジメントとともにねじアレンジメントを備え、連結されているアイテムにさらなる固定性を与える。
【図面の簡単な説明】
【００１２】
【図１】図１Ａおよび１Ｂは、本発明の好ましい実施態様をそれぞれ分解図および組立図で開示する。
【図２】図２は、本発明の一実施態様を開示する。
【図３】図３は、本発明の別の実施態様を開示する。
【図４】図４は、本発明の第三の実施態様を開示する。
【発明を実施するための形態】
【００１３】
本発明は、取り外し可能なジュエリーを開示する。それは、相互に取り外し可能に連結しているジュエリーのピースを備え、それらは、連結されている間、着用および操作の際にそれらの上にかけられる力に耐えるように、確実に連結される。特に本発明は、弾性部材およびボール／スロットアレンジメントを含むロック装置を含む雄型雌型のねじ部材を用いて、ジュエリーの２つのピースが取り外し可能に相互に連結される、取り外し可能なロックアレンジメントを開示する。
【００１４】
本発明はここで、指輪を用いて説明される。典型的な指輪は、指の周りをまわるシャンク（１）およびジュエル石を収容するコレット（２）を備える。本発明は、本発明を用いて取り外し可能にかつ確実に相互に連結される独立のパーツとして、シャンク（１）およびコレット（２）を含む。図１に示すように、本発明の好ましい実施態様では、シャンク（１）には、グラブねじ（４）を受け止めるために、ねじ穴（３）（シャンク穴またはグラブねじ穴とも呼ばれる）が備わっている。シャンク穴（３）は内側にねじ山が付けられているのに対し、グラブねじ（４）は外側にねじ山が付けられている。外側にねじ山が付けられているシャフト（５）は、シャンク（１）の外面に、好ましくはシャンク穴（３）と同心に、備えられている。スロット（７）は、好ましくは非腐食性金属でできている固形物（８）（好ましくは丸いボール（８）の形態である）を収容するためにシャフト（５）の壁に作られる。ボール（８）の大きさおよび形は、シャフト（５）の長手方向の軸に対するそれの横方向の動きが妨げられずに促進されるようなものである。スロット（７）の大きさは、ボール（８）がシャフト（５）の壁から少し突き出るようなものである。シャフト（５）は、中空であり、シャンク（１）のグラブねじ末端からその中に挿入される弾性部材（１０）を具備する。弾性材料は穴（３）の内側にぴったり合ってボール（８）の横方向の動きに抵抗を与える。ボール（８）の形は、その弛緩位において、シャフト壁に提供されるスロット（７）から、ボール（８）が突き出るようなものである。グラブねじ（４）は、シャンク穴（３）を閉じるためにシャンク穴（３）の中に取り付けられる。
【００１５】
シャンク穴（３）、シャフト（５）、および、グラブねじ（４）のアレンジメントは、ボール（８）および弾性部材（１０）とともに、それらのそれぞれの場所において、シャンク（１）とコレット（２）の確実な連結もたらすアレンジメントを形成する。本発明で用いられる典型的なコレット（２）を図ｘｘに示す。それは、任意的であるコレットの装飾用基部（２Ａ）を示す。基部（２Ａ）は、ワッシャーまたはパッキング部材としての役割を果たす。それは、中央にねじ穴を具備する。ジュエル収容部（２Ｂ）（コレット収容部とも呼ばれる）は、コレット（２）のその他の部分である。ジュエル収容部（２Ｂ）もまた、中央のねじ穴（２Ｃ）が備えられている。
【００１６】
コレット（２）をシャンク（１）に確実に連結して着用可能なジュエリーピースを形成するとき、装飾用基部（２Ａ）（または単に基部）は、シャフト（５）の上に、ねじのリミットに到達するまでねじ込められる。そのようにしている間、それはボール（８）を通り越し、その過程において弾性部材（１０）に対してボール（８）を押し付ける。装飾用部材がシャフト（５）に沿ったその動きの間にボール（８）を完全に通り過ぎると、ボール（８）は弾性部材（１０）から離れて跳ね返り、そしてその弛緩位をとる。
【００１７】
次にジュエル収容部（２Ｂ）がシャフト（５）の上にねじ込められる。ジュエル収容部（２Ｂ）の中の穴（２Ｃ）のねじ山は、場合により、ボール（８）を、その弛緩位において収容するためにノッチが備えられる。ジュエル収容部（２Ｂ）がシャフト（５）の上にねじ込まれ始めると、そのねじは、ボール（８）を横方向に弾性部材（１０）に押し付け始める。コレット（２）がシャフト（５）に沿って進むと、ねじ山は、ねじのシステムにおける傾きによって、ボール（８）が跳ね返り、ねじ山の溝の中に後退するように、十分にボール（８）を通過する。コレット（２）収容部の前進する動きが、既にその安定の位置にある基部（２Ａ）でいったん止まると、収容部および基部（２Ａ）は、シャンク（１）に確実に連結されると考えられる。
【００１８】
お互いに対するシャンク／コレットのシステムの安全性または固定性は、本発明で提供されるねじとボール（８）とソケットまたはスロット（７）の巧妙な機構を通して達成される。収容部のねじの溝の内側に置かれた、格納された位置におけるボール（８）は、まだなお、弾性部材（１０）から圧力をかけられている。この圧力は、今度はコレット収容部（２Ｂ）のねじにかけられて、ジュエリーの正常な着用および操作の間にかけられる日常の圧力下で、コレット収容部（２Ｂ）を十分に固定する。同時に、圧力のレベルは、逆の操作（ねじを抜く）によるコレット収容部（２Ｂ）の容易で便利な取り外しを可能にするのに十分に低く、その間に、ねじがもう一度ボール（８）を弾性部材（１０）に押し付けてシャフト（５）の上に出てくる。次に基部（２Ａ）もまた、その逆回転によりシャンク（１）から取り外されて、そして、この操作の間に容易にボール（８）を超えることができる。
【００１９】
したがって、ボール（８）が、弾性部材（１０）とともに、一度所定の位置に置かれたらコレット／シャンクのシステムに十分な圧力を与えてこれに不動性をもたらすこと、そして、コレットとシャンクのシステムの開放を可能にして２つをお互いから取り外すことが明らかである。
【００２０】
このように、本発明を用いて構成されるジュエリーは、何らかの事情でパーツが互いから離れて、貴重なジュエリーの紛失を導く危険性を最小限にしながら、連結と取り外しの適応性の利点を享受することが明らかである。本発明は、もし１つの安全性のシステムが失敗しても、常にバックアップの安全性の手段があるように、二重の安全性システムを提供することが明らかである。これはまた、パーツ上の損耗を減らし、それによりジュエリーの寿命を増加させる。
【００２１】
本発明の一実施態様では、グラブねじとねじ穴のアレンジメントとを提供するよりむしろ、弾性部材が中に挿入される穴が、はんだ、または他のタイプの溶接で封がされる。そのような実施態様では、グラブねじの必要がない。
【００２２】
本発明の好ましい実施態様では、シャフトの壁におけるソケットの位置は、基部（２Ａ）がその最終のねじこまれた位置にあるときに、ボール（８）が完全に基部（２Ａ）の上方に置かれるような位置である。
【００２３】
本発明の一実施態様では、ボール（８）の位置は、シャフト（５）に沿って、それらの最終の位置における基部（２Ａ）および収容部のねじと重なるような位置でよい（図１参照）。
【００２４】
ボール（８）が、コレット基部（２Ａ）よりむしろ、コレット収容部としてのコレット収容部（２Ｂ）の少なくとも一部分に及ぶことが重要であり、それはシャンクに固定されるために必要である。収容部のねじにノッチが備えられる場合は、ボール（８）が、その格納される位置において、スロット（７）の完全に内側に位置するように備えられることが好ましい。
【００２５】
ボール（８）の直径は、典型的には、収容部の穴のねじ山のピッチの１〜２倍の間である。しかしながら、このアレンジメントが機能するためには、ボールの大きさ、または、収容部の穴のねじ山のピッチに対するそれの相対的な大きさに制限はない。
【００２６】
本発明の滑らかで苦労を要しない操作を可能にするために、弾性部材（１０）と（その弛緩位における）ボール（８）の間に、好ましくはいくらかの遊びがある。しかしながら、その遊びは必須ではない。ボール（８）と弾性部材（１０）が、ボール（８）の弛緩位でそれらが堅く組み合わさるような寸法である場合は、本発明でもたらされる容易さは減少するが、本発明はその目的を果たす。
【００２７】
グラブねじ（４）の設備は、弾性部材（１０）とボール（８）を簡単に挿入し取り外すことを容易にする。これは、これらの部材の容易な取り換え可能性として重要であり、本発明の有用性を増大させる。
【００２８】
面取りした面（ｃｈａｍｆｅｒ）（５Ａ）はシャフト（５）の上部に備えられ、その上への基部（２Ａ）およびコレット収容部（２Ｂ）の簡単な挿入を容易にする。
【００２９】
ボール（８）は、容易な製造のために、好ましくは丸いまたは球状の形状であるが、スロット（７）へのボール（８）の挿入、および圧力下でのそれの自由な横方向の動きを許し、そして、それがスロット（７）から突き出ることを許すいかなる他の形状も許容される。典型的な代替手段を図１に示す。一般に、突き出すぎることなく（それは基部（２Ａ）および収容部のねじ込みを妨害するであろう）、スロット（７）から多く突き出るほど良い。
【００３０】
本発明の別の実施態様では（図２参照）、穴（３）は、シャンク（１）の中に備えられる。穴（３）は部材（１０）の外表面とねじ穴（３）の内側の間に作られる環状空間（３Ａ）があるように弾性部材（１０）を収容するのに十分な直径である。ねじ山が付けられた中空のシャフト（５）は、その外表面にねじ山を具備し、環状空間の中へねじ込めることができるようにコレット（２）のコレット収容部（２Ｂ）の下方に備えられる。シャフト（５）の壁とシャンク穴（３）の壁の両方に作られたスロット（７）がある。弾性部材（１０）は、シャンク穴（３）と同心状に適合する。シャンク穴（３）の指側の末端には、グラブねじ（４）を受け止めるための、グラブねじ穴（３）の形態で作られた設備がある。弾性部材（１０）およびボール（８）は、グラブねじ穴（３）を通って挿入され、ボール（８）が部材（１０）とシャンク穴（３）の内面との間に、かつその中に提供されるスロット（７）の中に緩く置かれる。グラブねじ（４）はグラブねじ穴（３）の中に置かれて、そしてそれに封をする。コレット収容部（２Ｂ）の末端に備えられた中空のシャフト（５）は、環状空間の中へねじ込められる。ねじは、継続的にそれを弾性部材（１０）に押し付けることにより、ボール（８）を通り越し始める。収容部（２Ｂ）がグラブねじ穴（３）の上端に到達して、それが最終位置となる。この段階で、ボール（８）は、弾性部材（１０）が横方向の圧力下となるように弾性部材（１０）に十分に押し付けられるが、ねじの溝の中にそれ自身が固定されるように十分に引っ込められる。好ましい実施態様に類似の方法で、必要なときは２つの取り外しが容易に促進されるように、コレット（２）はこのようにシャンク（１）に確実に連結されて置かれる。
【００３１】
本発明のさらなる実施態様では（図３参照）、シャフト（５）は、コレット収容部（２Ｂ）の底部に連結されて、そしてシャンク（１）における穴の中に挿入される。シャンク（１）はシャフト（５）と非同心の穴（３ｂ）が備えられ、その中に弾性部材（１０）が収容される。スロット（７）は、シャンク穴とシャフト（５）を横方向に連結させるように作られる。ボール（８）は、スロット（７）の中に置かれ、シャフト（５）がシャンク穴の中にねじ込められるときに結果として生じるボール（８）の横方向の動きが弾性部材（１０）により抵抗され、そしてそれによって、いったんシャフト（５）がそれの前進する動きを終えると、ボール（８）がシャフトねじの溝の中へ格納される。
【００３２】
本発明のさらに別の実施態様では（図４参照）、複数のボール（８）およびスロットのアレンジメントが提供される。
【００３３】
ここに記載の本発明は、イヤリング、ペンダント、カフスボタン、ブレスレット、場合により装飾用ピン、タイピン、ブローチ、バングル、および取り換え可能な装飾用パーツの利点を享受する任意のジュエリーアイテムに応用可能である。
【００３４】
このように、本発明は以下の項目を含むことが、先の検討から明らかである。
【００３５】
１．  ジュエリーの２つのピースのための取り外し可能な連結装置であって、
前記２つのピースが、相互に連結されている間、着用および操作の際にそれらの上にかけられる力に耐えるように確実に連結され、
前記取り外し可能な連結装置は、前記ジュエリーの２つのピースが相互に確実に連結されるようにするロック装置を組み込んだ雄型および雌型のねじ部材を備えることを特徴とする、
連結装置。
【００３６】
２．  請求項１で請求されたジュエリーの２つのピースのための取り外し可能な連結装置であって、
ここで前記ジュエリーが、指輪、イヤリング、ペンダント、カフスボタン、ブレスレット、装飾用ピン、タイピン、ブローチ、バングル、および、取り換え可能な装飾パーツの利点を享受する任意のジュエリーアイテムを含む群から選択される、
連結装置。
【００３７】
３．  項目２に記載のジュエリーの２つのピースのための取り外し可能な連結装置であって、
ここで前記指輪は、さらに：
−指の周りをまわるシャンク（１）およびジュエル石を収容する独立のコレット（２）を備え、
ここで、前記シャンク（１）は、ロック部材、（好ましくはグラブねじ（４）である）、を受け止めるためのねじ穴（３）を具備し、
前記シャンク穴（３）はその内側にねじ山が付けられているのに対し、前記グラブねじ（４）はその外側にねじ山が付けられており、
−外側にねじ山が付けられているシャフト（５）が前記シャンク（１）の外面に、（好ましくはシャンク穴（３）と同心状に）備えられ；
スロット（７）が、固形物（８）（好ましくは丸いボール（８）の形態である）を収容するために、前記シャフト（５）の壁に作られ、
前記固形物は、好ましくは非腐食性金属でできており、
ここで、前記固形物の大きさおよび形は、シャフト（５）の長手方向の軸に対するそれの横方向の動きが妨げられずに促進されるようなものであり、
そして、ここでスロット（７）の大きさは、前記固形物がシャフト（５）の壁から少し突き出るようなものであり、
−前記シャフト（５）は、中空であり、シャンク（１）のグラブねじ末端からその中に挿入される弾性部材（１０）を具備し、前記弾性材料（１０）が前記シャンク穴（３）の内側にぴったり合ってボール（８）の横方向の動きに抵抗を与えるようになっており、
ここで前記固形物（８）の形は、その弛緩位において、前記固形物（８）がシャフト壁に設けられた前記スロット（７）から突き出るようなものであり、
そして、ここで前記グラブねじ（４）は、シャンク穴（３）を閉じるためにシャンク穴（３）の中に設置され；
そして、ここでシャンク穴（３）、シャフト（５）、および、グラブねじ（４）のアレンジメントは、それぞれの場所において、ボール（８）および前記弾性部材（１０）とともに、シャンク（１）とコレット（２）の確実な連結を可能にする前記ロック装置を形成し、
そして、ここで前記コレット（２）は：
−ワッシャーまたはパッキング部材としての役割を果たす任意的な装飾用基部（２Ａ）を備え、
前記コレットはその中央にねじ穴を具備し、
−中央のねじ穴（２Ｃ）が備えられたコレット収容部（２Ｂ）を備え、
前記シャフト（５）の上に前記基部（２Ａ）を、そのねじのリミットに到達するまでねじ込めて、続けて前記シャフト（５）の上に前記ジュエル収容部（２Ｂ）をねじ込めることによって、前記コレット（２）が前記シャンク（１）に確実に連結されて着用可能なジュエリーピースを形成するようになっている、
連結装置。
【００３８】
４．  項目３に記載のジュエリーの２つのピースのための取り外し可能な連結装置であって、
さらにここで、ジュエル収容部（２Ｂ）の中の前記ねじ穴（２Ｃ）は、前記固形物（８）を、その弛緩位において収容するためにノッチを具備する、
連結装置。
【００３９】
５．  項目４に記載のジュエリーの２つのピースのための取り外し可能な連結装置であって、
ここで前記ロック部材は、第二の弾性部材（１０ａ）であり、前記シャンク穴の中に挿入されて、はんだ栓または溶接栓の形態であるシールで封がされる、
連結装置。
【００４０】
６．  項目５に記載のジュエリーの２つのピースのための取り外し可能な連結装置であって、
ここで、シャフト壁における前記スロットの位置が、基部（２Ａ）がその最終のねじ込まれた位置にあるときに、前記固形物（８）が完全に基部（２Ａ）の上方に置かれるような位置である、
連結装置。
【００４１】
７．  項目５に記載のジュエリーの２つのピースのための取り外し可能な連結装置であって、
ここで前記固形物（８）の位置が、シャフト（５）に沿ってそれぞれの最終位置で基部（２Ａ）および収容部のねじと重なるような位置である、
連結装置。
【００４２】
８．  項目５に記載のジュエリーの２つのピースのための取り外し可能な連結装置であって、
ここで前記固形物の位置は、前記固形物がコレット収容部（２Ｂ）の少なくとも一部分に及ぶような位置である、
連結装置。
【００４３】
９．  項目５に記載のジュエリーの２つのピースのための取り外し可能な連結装置であって、
ここで前記固形物は、前記スロット（７）への前記ボール（８）の挿入および圧力下でのそれの自由な横方向の動きを可能にし、そして、前記ボールが前記基部（２Ａ）のねじ込みを妨害しないような突出量でスロット（７）から突き出ることを可能にする、任意の形状のボールである、
連結装置。
【００４４】
１０．  項目９に記載のジュエリーの２つのピースのための取り外し可能な連結装置であって、
ここで前記固形物が、ボール、好ましくは丸いまたは球状の形状である、
連結装置。
【００４５】
１１．  項目２に記載のジュエリーの２つのピースのための取り外し可能な連結装置であって、
ここで前記指輪がさらに、
−指の周りをまわるシャンク（１）およびジュエル石を収容する独立のコレット（２）を備え、
ここで前記シャンク（１）は、ロック部材、好ましくはグラブねじ（４）を受け止めるためのねじ穴（３）を具備し、
前記シャンク穴（３）はその内側にねじ山が付けられているのに対し前記グラブねじ（４）はその外側にねじ山が付けられており、
そして、ここで前記ねじ穴（３）は前記部材（１０）の外表面とねじ穴（３）の内側の間に作られる環状空間（３Ａ）があるようにして弾性部材（１０）を収容するのに十分な直径であり、
−ねじ山が付けられた中空のシャフト（５）は外表面にねじ山を具備し、前記環状空間（３Ａ）の中へねじ込めることができるようにコレット（２）のコレット収容部（２Ｂ）の下方に備えられ、
−シャフト（５）の壁とシャンク穴（３）の壁の両方に作られたスロット（７）を備え、
ここで前記弾性部材（１０）は、固形物（８）（好ましくは丸いボール（８）の形態である）を収容するために、前記シャンク穴（３）の中に（好ましくは同心状に）適合し、
前記固形物は好ましくは非腐食性金属でできており、
−シャンク穴（３）の指側の末端には、前記グラブねじ（４）を受け止めるためのグラブねじ穴（３）を備え、
ここで前記弾性部材（１０）およびボール（８）は、グラブねじ穴（３）を通って挿入されて、ボール（８）が部材（１０）とシャンク穴（３）の内面との間に、かつその中に設けられたスロット（７）の中に緩く置かれるようになっており、
ここで、コレットおよびシャンクは、前記グラブねじ（４）をグラブねじ穴（３）の中に置き、それに封をして、前記中空のシャフト（５）を前記環状空間の中へねじ込むことにより取り外し可能に連結されて、それによって、コレット収容部のねじが、前記収容部（２Ｂ）がグラブねじ穴（３）の上端に到達するまで継続的にそれを弾性部材（１０）に押し付けることにより、ボール（８）を通り越し始める、
連結装置。
【００４６】
１２．  項目２に記載のジュエリーの２つのピースのための取り外し可能な連結装置であって、
ここで前記指輪がさらに、
−指の周りをまわるシャンク（１）およびジュエル石を収容する独立のコレット（２）を備え、
−コレット収容部（２Ｂ）の底部に連結されていてシャンク（１）における穴の中に挿入されるシャフト（５）を備え、
ここで前記シャンク（１）は、前記シャフト（５）と非同心状である非同心の穴（３ｂ）を備え、前記穴に弾性部材（１０）が収容され、
−スロット（７）は、シャンク穴とシャフト（５）を横方向に連結させるように作られ、そしてここに、固形物（好ましくはボール（８））が置かれて、
それによって、シャフト（５）がシャンク穴の中にねじ込められるときに結果として生じる前記ボール（８）の横方向の動きが、弾性部材（１０）により抵抗され、そしてそれによって、いったんシャフト（５）がそれの前進する動きを終えると、ボール（８）がシャフトねじの溝の中へ後退する、
連結装置。
【００４７】
１３．  項目３に記載のジュエリーの２つのピースのための取り外し可能な連結装置であって、
ここで前記スロット（７）および前記固形物（８）のそれぞれの数が２である、
連結装置。
【実施例】
【００４８】
ここで検討されるジュエリーの種類は、それは指輪であり、極めて壊れやすい性質で、そして、取り外し可能な連結装置のような複雑なものをその中に組み込まなくても製造することが難しい。本発明を作るのに関わる、固形物またはボール（８）、グラブねじ、スロット（７）のようなパーツのいくつかは、極めて小さいサイズであり、例えば１−２ｍｍのオーダーのサイズである。そのような小さなサイズのねじ穴またはスロットを作り、その中にボールまたは弾性部材のような物体を挿入し、本発明の重要な目的達成すること、すなわち、ジュエリーの２つのピースが取り外し可能に連結され得る取り外し可能な連結装置を提供することは、極めて熟練を要する仕事であり、それが、今日まで入手可能なそのようなジュエリーが無い理由である。
【００４９】
上記の説明は多くの特定を含むものであるが、これらは本発明の範囲の限定として解釈されるべきではなく、むしろ、好ましい実施態様の実施例として解釈されるべきである。多くの他のバリエーションが可能である。したがって、本発明の範囲は、説明された実施態様によってではなく、添付の請求項およびそれらの法律上の同等物によって、決定されるべきである。
【符号の説明】
【００５０】
１  シャンク
２  コレット
２Ａ  コレット基部
２Ｂ  ジュエル収容部
２Ｃ  ジュエル収容部の中の穴
３  ねじ穴
３Ａ  環状空間
３ｂ  非同心の穴
４  グラブねじ
５  シャフト
６  シャンクの外面
７  スロット
８  固形物
９  シャフトの長手方向の軸
１０  弾性部材
１０ａ  第二の弾性部材
１０ｂ  シール
【図１Ａ】
2013540552.tif 000003
【図１Ｂ】
2013540552.tif 000004
【図２】
2013540552.tif 000005
【図３】
2013540552.tif 000006
【図４】
2013540552.tif 000007
【国際調査報告】
2013540552.tif 000008
2013540552.tif 000009
2013540552.tif 000010